(57)【要約】【課題】              録画が完了次第、即座に録画内容を視聴することが可能な動画配信システムの提供。【解決手段】  予約録画機能を有する動画記録装置に、予め登録したユーザ情報に基づき再生側の対応フォーマットを選択する手段と、該フォーマットにて動画データをサーバにアップロードする手段と、アップロードした動画データのＵＲＬを含んだ電子メールを生成し、予約記録終了通知として予め登録したメールアドレスに送信する手段を備える。端末装置側では、電子メールを受信次第、該電子メールに含まれるＵＲＬを用いて動画を視聴することが可能となる。【選択図】            図１
2006191483.tif 000002
【特許請求の範囲】
【請求項１】
動画の予約録画機能を有する動画記録装置において、
所定のフォーマットにて予約された動画像を記録する動画データ生成部と、
前記動画データを他のフォーマットに変換する動画データフォーマット変換部と、
前記生成ないし変換した動画データを所定の動画配信サーバにアップロードする動画データアップロード制御部と、
前記動画データ受信のためのＵＲＬ（Ｕｎｉｆｏｒｍ  Ｒｅｓｏｕｒｃｅ  Ｌｏｃａｔｏｒ）を含んだ電子メールを生成し予め指定されたメールアドレスに送信するメール送信制御部と、を備え、
予め登録されたユーザ情報に基づき再生側の対応フォーマットを選択し、再生側の機器で動画データを視聴可能にアップロードを実行すること、
を特徴とする動画記録装置。
【請求項２】
メールアドレスと対応フォーマットを関連付けたテーブルを有し、前記ユーザ情報としてメールアドレスと、該テーブルを参照して再生側の対応フォーマットを選択すること、
を特徴とする請求項１に記載の動画記録装置。
【請求項３】
前記ユーザ情報としてのメールアドレスのドメイン部分に基づいて再生側の対応フォーマットを選択すること、
を特徴とする請求項１に記載の動画記録装置。
【請求項４】
前記動画データアップロード制御部に代えて、
所定の端末からの要求に応じて動画データを配信する動画配信サーバ機能を有し、
前記録画機能と動画配信機能を併有したこと、
を特徴とする請求項１乃至３いずれか一に記載の動画記録装置。
【請求項５】
録画予約時に、電子メールによる通知要否を受け付け、
電子メールによる通知要と設定された録画内容についてのみ、前記電子メールを送信すること、
を特徴とする請求項１乃至４いずれか一に記載の動画記録装置。
【請求項６】
前記電子メールは、動画データのアップロード依頼を行いうるよう構成されていること、
を特徴とする請求項５に記載の動画記録装置。
【請求項７】
録画予約時に、動画データのアップロードの要否を受け付け、
電子メールによる通知要と設定され、かつ、動画データのアップロード要と設定された録画内容についてのみ、前記電子メールを送信すること、
を特徴とする請求項１乃至６いずれか一に記載の動画記録装置。
【請求項８】
請求項１乃至７いずれか一に記載の動画記録装置から電子メールを受信して、
前記電子メールに含まれるＵＲＬ（Ｕｎｉｆｏｒｍ  Ｒｅｓｏｕｒｃｅ  Ｌｏｃａｔｏｒ）を用いて、動画データを再生可能としたこと、
を特徴とする端末装置。
【請求項９】
請求項１乃至７いずれか一に記載の動画記録装置と、請求項８に記載の端末装置を含んだ予約動画配信システム。
【請求項１０】
動画の予約録画機能を有する動画記録装置が、所定のフォーマットにて予約された動画像を記録するステップと、
前記動画記録装置が、予め登録されたユーザ情報に基づき再生側の対応フォーマットを選択するステップと、
前記動画記録装置が、前記選択した再生側の対応フォーマットにて、所定の動画配信サーバに前記動画データをアップロードするステップと、
前記動画記録装置が、前記動画データ受信のためのＵＲＬ（Ｕｎｉｆｏｒｍ  Ｒｅｓｏｕｒｃｅ  Ｌｏｃａｔｏｒ）を含んだ電子メールを自動生成し、予め指定されたメールアドレスに送信するステップと、
前記電子メールを受信した端末装置が、電子メールに含まれるＵＲＬ（Ｕｎｉｆｏｒｍ  Ｒｅｓｏｕｒｃｅ  Ｌｏｃａｔｏｒ）を選択可能に表示し、電子メール表示画面から動画データの再生処理に移行するステップと、を含むこと、
を特徴とする予約動画配信方法。
【請求項１１】
前記動画記録装置は、前記ユーザ情報としてのメールアドレスと対応フォーマットを関連付けたテーブルを参照して再生側の対応フォーマットを選択すること、
を特徴とする請求項１０に記載の予約動画配信方法。
【請求項１２】
前記動画記録装置は、前記ユーザ情報としてのメールアドレスのドメイン部分に基づいて再生側の対応フォーマットを選択すること、
を特徴とする請求項１０に記載の予約動画配信方法。
【請求項１３】
録画予約時に、前記動画記録装置が電子メールによる通知要否の設定を受け付けるステップを含み、
前記動画記録装置は、電子メールによる通知要と設定された録画内容についてのみ、前記電子メールを送信すること、
を特徴とする請求項１０乃至１２いずれか一に記載の予約動画配信方法。
【請求項１４】
録画予約時に、前記動画記録装置が電子メールによる通知要否と動画データのアップロードの要否の設定を受け付けるステップを含み、
前記動画記録装置は、電子メールによる通知要と設定され、かつ、動画データのアップロード要と設定された録画内容についてのみ、前記動画データ受信のためのＵＲＬ（Ｕｎｉｆｏｒｍ  Ｒｅｓｏｕｒｃｅ  Ｌｏｃａｔｏｒ）を含んだ電子メールを送信すること、
を特徴とする請求項１０乃至１２いずれか一に記載の予約動画配信方法。
【請求項１５】
録画予約時に、前記動画記録装置が電子メールによる通知要否と動画データのアップロードの要否の設定を受け付けるステップを含み、
前記動画記録装置は、電子メールによる通知要と設定され、かつ、動画データのアップロードは不要と設定された場合、前記ＵＲＬ（Ｕｎｉｆｏｒｍ  Ｒｅｓｏｕｒｃｅ  Ｌｏｃａｔｏｒ）を含まない電子メールを送信し、
前記電子メールに対する返信を受け付けた前記動画記録装置が、対応する動画データをアップロードするとともに、前記動画データ受信のためのＵＲＬ（Ｕｎｉｆｏｒｍ  Ｒｅｓｏｕｒｃｅ  Ｌｏｃａｔｏｒ）を含んだ電子メールを送信すること、
を特徴とする請求項１０乃至１２いずれか一に記載の予約動画配信方法。
【請求項１６】
動画の予約録画機能を有する動画記録装置を構成するコンピュータに実行させるプログラムであって、
所定の予約項目の入力を受け付け、該設定内容に従って動画像を記録する処理と、
予め登録されたユーザ情報に基づき再生側の対応フォーマットを選択する処理と、
前記選択した再生側の対応フォーマットにて、所定の動画配信サーバに前記動画データをアップロードする処理と、
前記動画データ受信のためのＵＲＬ（Ｕｎｉｆｏｒｍ  Ｒｅｓｏｕｒｃｅ  Ｌｏｃａｔｏｒ）を含んだ電子メールを生成し予め指定されたメールアドレスに送信する処理と、を前記コンピュータに実行させるプログラム。
【請求項１７】
請求項１乃至７いずれか一に記載の動画記録装置にアクセス可能なコンピュータに実行させるプログラムであって、
前記動画記録装置から電子メールを受信する処理と、
前記電子メールに含まれるＵＲＬ（Ｕｎｉｆｏｒｍ  Ｒｅｓｏｕｒｃｅ  Ｌｏｃａｔｏｒ）を用いて、動画データを再生する処理とを、前記コンピュータに実行させるプログラム。
【発明の詳細な説明】
【技術分野】
【０００１】
本発明は、予約動画配信システム、予約動画配信システムを構成する装置、予約動画配信方法、及び、プログラムに関し、特に、ネットワークを介して、記録した録画を視聴できるようにした予約動画配信システム、予約動画配信システムを構成する装置、予約動画配信方法、及び、プログラムに関する。
【背景技術】
【０００２】
磁気テープを使用したビデオ装置に代り、内蔵したハードディスクに録画するハードディスクレコーダや同等の機能を備えたパーソナルコンピュータが急速に普及している。これらの機器では、録画データは、電子データとして保存されるため、ＤＶＤやメモリカードといった記録媒体にコピーできる。こうして出力した録画データは、パーソナルコンピュータはもちろん、近年高性能化が目覚しい携帯電話端末等でも視聴することが可能となっている。また、こうした機器をインターネットに接続することで、電子番組表をダウンロードすることを可能としたり、外出先からの予約登録を可能としたものも知られている。
【０００３】
特許文献１、２に、予約されたテレビ番組等の記録が完了すると、予約内容や番組のサムネイル画像等の該番組に関する情報を含んだ電子メールを生成・送信するシステムが開示されている。
【０００４】
また、特許文献３には、ネットワーク上に録画装置を備えたセンタを用意し、外出先でもテレビ番組等の録画予約と、視聴ができるようにした録画代行サービスシステムが開示されている。
【０００５】
【特許文献１】特開２００４−１３５１５１号公報
【特許文献２】特開２００４−６４３４３号公報
【特許文献３】特開２００２−２９０８８２号公報
【発明の開示】
【発明が解決しようとする課題】
【０００６】
しかしながら、特許文献１のシステムは、専ら予約が正しく行われたことを報告するための装置構成であって、予約記録の完了を知ることはできても動画記録装置から離れた場所では記録した動画データを視聴することはできないものである。また、特許文献２に記載のシステムでは、予約が正しく行われたことを報告する再生メール（同公報図２０参照）上の再生ボタンを起動することにより、ＴＶ番組データを受信することが可能となっているが、録画・再生用のフォーマットを予め取り決めておく必要があり、適切な再生手段を持たない端末しか携行していない場合など、視聴できないケースが生じてしまう。
【０００７】
例えば、第三世代携帯電話では、高速データ通信が可能となり動画等容量の大きなデータの配信サービスが普及しつつある。更に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）と呼ばれる下り最大１４．４Ｍｂｐｓの高速パケット伝送技術も開発されている。これらの現状に照らすと、今後はデータ通信によるサービスは更に多様化し、また、時、場所、機器を選ばないで視聴できるような、より利便性の高いシステムの提案が望まれている。
【０００８】
なお、特許文献３の記載の技術では、例えば、自宅で録画内容を視聴する場合であっても、ネットワークを介してセンタにアクセスする必要があり、同公報の従来の技術欄にあるように、同じ時間帯に複数の番組を録画したい、加入契約をしていない局の番組を録画したい等といった用途に限定されるものと考えられる。
【０００９】
本発明は、上記した事情に鑑みてなされたものであって、ハードディスクレコーダ、テレビチューナ付きパーソナルコンピュータ等に後述の付加機能を加えて構成可能であって、ユーザに録画が完了したことを知らせるとともに、容易に再生動作に入れるようにした動画記録装置、予約動画配信システム、予約動画配信方法、及び、プログラムを提供することを目的とする。
【課題を解決するための手段】
【００１０】
本発明の第１の視点によれば、所定のフォーマットにて予約された動画像を記録する動画データ生成部と、前記動画データを他のフォーマットに変換する動画データフォーマット変換部と、前記生成ないし変換した動画データを所定の動画配信サーバにアップロードする動画データアップロード制御部と、前記動画データ受信のためのＵＲＬ（Ｕｎｉｆｏｒｍ  Ｒｅｓｏｕｒｃｅ  Ｌｏｃａｔｏｒ）を含んだ電子メールを生成し予め指定されたメールアドレスに送信するメール送信制御部と、を備える動画記録装置が提供される。この動画記録装置は、予め登録されたユーザ情報に基づき再生側の対応フォーマットを選択し、再生側の機器で動画データを視聴可能にアップロードを実行する。
【００１１】
本発明の第２の視点によれば、上記した動画記録装置から電子メールを受信して、前記電子メールに含まれるＵＲＬを用いて、動画データを再生可能としたこと、を特徴とする端末装置が提供される。
【００１２】
本発明の第３の視点によれば、上記した動画記録装置と端末装置をネットワークを介して接続して構成される予約動画配信システムと動画配信方法が提供される。この動画配信方法によれば、まず上記動画記録装置が、所定のフォーマットにて予約された動画像を記録する。続いて、前記動画記録装置が、予め登録されたユーザ情報に基づき再生側の対応フォーマットを選択し、所定の動画配信サーバに動画データをアップロードする。続いて、前記動画記録装置は、前記動画データ受信のためのＵＲＬを含んだ電子メールを自動生成し、予め指定されたメールアドレスに送信する。最後に、前記電子メールを受信した端末装置が、電子メールに含まれるＵＲＬを選択可能に表示し、ＵＲＬが選択された場合に、電子メール表示画面から動画データの再生処理に移行する。
【００１３】
本発明の第４の視点によれば、上記動画記録装置を構成するコンピュータに実行させるプログラム及び動画記録装置にアクセス可能な端末装置を構成するコンピュータに実行させるプログラムが提供される。
【発明の効果】
【００１４】
本発明によれば、録画が完了次第、即座に録画内容を視聴することが可能となる。その理由は、録画が完了したことを伝える電子メールにＵＲＬを含ませるとともに、即座に再生可能な形態でアップロードを行う構成を採用したことにある。
【発明を実施するための最良の形態】
【００１５】
続いて、本発明を実施するための最良の形態について図面を参照して詳細に説明する。図１は、本発明の第１の実施の形態に係る動画配信システムの全体構成を表した図である。図１を参照すると、動画配信システムは、動画記録装置１と、動画配信サーバ３と、メールの受信、動画データの再生が可能な携帯電話端末８１、８２とをインターネット２、アクセスサーバ５、公衆回線網６を介して接続して構成されている。
【００１６】
インターネット２には、メールサーバ４が配設され、少なくとも動画記録装置１が生成した電子メールを各携帯電話端末８１、８２のメールアドレスに宛てて送信可能となっている。
【００１７】
動画記録装置１は、例えば、ハードディスクレコーダーやパーソナルコンピュータである。図２は、動画記録装置１の詳細構成を表したブロック図である。図２を参照すると、動画記録装置１は、動画記録制御部１１と、動画データ生成部１２と、動画データフォーマット変換部１３と、動画データアップロード制御部１４と、メール送信制御部１５と、動画予約記録情報記憶部１６と、動画データ記憶部１７と、インターネット接続インタフェース１８とを備えている。
【００１８】
動画記録制御部１１は、動画データ生成部１２と、動画データフォーマット変換部１３と、動画データアップロード制御部１４と、メール送信制御部１５と、動画予約記録情報記憶部１６と、動画データ記憶部１７、図示しない内蔵タイマ等と接続され、これら各ユニットを含む動画記録装置１全体の制御を行うユニットである。
【００１９】
動画データ生成部１２は、図示しない受信装置と連繋してテレビ放送等の受信データから動画データを生成するユニットである。
【００２０】
動画データフォーマット変換部１３は、動画データを適当なフォーマットに変換するユニットである。また、動画データアップロード制御部１４は、動画予約記録完了後、生成された動画データ、或いは、動画データフォーマット変換部１３にて任意のフォーマットに変換された動画データを動画配信サーバ３の所定の位置にアップロードするユニットである。
【００２１】
メール送信制御部１５は、動画予約記録完了と動画データのＵＲＬ（Ｕｎｉｆｏｒｍ  Ｒｅｓｏｕｒｃｅ  Ｌｏｃａｔｏｒ）を含んだ電子メールを生成・送信するユニットである。上記ＵＲＬは、電子メールの本文中にそのまま明示的に記述してもよく（図４参照）、また、添付ファイル等に含ませる等暗示的な方式で電子メールに含ませてもよい。
【００２２】
動画予約記録情報記憶部１６は、図示しない予約受付部で受け付けた予約情報（動画記録の開始時刻、終了時刻、チャネル、メール通知の有効／無効、メール送信先（メールアドレス）、メール送信先で再生可能な動画データフォーマット（対応フォーマット）、動画配信サーバ３へのアップロードの有効無効）や、動画配信サーバ３のＵＲＬを記憶するユニットである。
【００２３】
動画データ記憶部１７は、動画データ生成部１２が生成した動画データを記憶するための例えば、ハードディスクドライブ等である。また、インターネット接続インタフェース１８は、インターネットに接続するためのユニットである。
【００２４】
続いて、本実施の形態の動作について図面を参照して説明する。図３は、本実施の形態の動作の流れを表したフローチャートである。図３を参照すると、まず、動画記録制御部１１は、内蔵するタイマに基づいて、動画予約記録情報記憶部１６に記憶された予約内容で指定された動画記録開始時刻が到来したか否かを確認する（ステップ２０１）。
【００２５】
ステップ２０１にて予約内容で指定された開示時刻が到来していると判定された場合、動画記録制御部１１は、動画データ生成部１２に対して、動画データ生成処理を指示する。動画データ生成部１２は、受信データから動画データを生成する処理を開始する（ステップ２０２）。
【００２６】
動画記録制御部１１は、内蔵するタイマに基づいて、動画予約記録情報記憶部１６に記憶された予約内容で指定された動画記録終了時刻時刻が到来したか否かを確認する（ステップ２０３）。
【００２７】
ステップ２０４にて予約内容で指定された終了時刻が到来していると判定された場合、動画記録制御部１１は、動画データ生成部１２に対して、動画データ生成処理を終了するよう指示する。動画データ生成処理の終了指示を受けた動画データ生成部１２は、生成した動画データを動画データ記憶部１７に格納する（ステップ２０４）。
【００２８】
続いて、動画記録制御部１１は、動画予約記録情報記憶部１６に格納された該当予約情報のメール通知の有効／無効フィールドを参照し、電子メールによる通知をするよう指定されているか否かを確認する（ステップ２０５）。
【００２９】
ステップ２０５にてメール通知が無効と設定されている場合（ステップ２０５のＮｏ）、動画記録制御部１１は、以降の処理を行わずに、動画予約記録処理を終了する（矢線２０６）。
【００３０】
一方、ステップ２０５にてメール通知が有効と設定されている場合（ステップ２０５のＹｅｓ）、動画記録制御部１１は、続いて、動画予約記録情報記憶部１６に格納された該当予約情報の動画配信サーバ３へのアップロードの有効／無効フィールドを参照し、動画配信サーバ３へのアップロードをするよう指定されているか否かを確認する（ステップ２０７）。
【００３１】
ステップ２０７にて動画配信サーバ３へのアップロードが無効と設定されている場合（ステップ２０７のＮｏ）、動画記録制御部１１は、メール送信制御部１５に対して、アップロードを行っていない旨と、動画予約記録情報記憶部１６に記録されたメール送信先アドレスを含む内容を通知し（矢線２０８）、予約が完了したことを通知する所定のフォーマットの電子メールを生成して、送信するよう指示する（ステップ２１３、２１４）。メール送信制御部１５は、電子メールの送信が完了すると、動画記録制御部１１に対してメール送信完了を通知する。
【００３２】
一方、ステップ２０７にて動画配信サーバ３へのアップロードが有効と設定されている場合（ステップ２０７のＹｅｓ）、動画記録制御部１１は、動画データ生成部１２が生成した動画データフォーマットと、動画予約記録情報記憶部１６に記録されたメール送信先で再生可能な動画データフォーマットを比較し、変換処理が必要であるか否かを判定する（ステップ２０９）。
【００３３】
ステップ２０９にてデータフォーマットの変換を要すると判断した場合（ステップ２０９のＹｅｓ）、動画記録制御部１１は、動画データフォーマット変換部１３を起動して、動画データフォーマットの変換を指示する。そして動画データフォーマット変換部１３は、動画データフォーマット変換後のデータを、動画データ記憶部１７に格納する（ステップ２１１）。
【００３４】
以上が終了した段階で、動画記録制御部１１は、動画データ記憶部１７に格納された動画データ（無変換、或いは、変換したものを含む）を動画配信サーバ３にアップロードするよう、動画データアップロード制御部１４に指示する。動画データアップロード制御部１４は、指定された動画データを動画配信サーバ３にアップロードする。併せて、動画記録制御部１１は、メール送信制御部１５に対して、アップロードを行った旨と、動画予約記録情報記憶部１６に記録されたメール送信先アドレス、動画データを格納したＵＲＬを含む内容を通知し、電子メールを送信するよう指示する（ステップ２１２）。
【００３５】
メール送信制御部１５は、指定されたメール送信先アドレスを送信先とし、動画データのＵＲＬを含む動画予約記録終了通知の電子メールを作成し（ステップ２１３）、メールサーバ４に対して送信する（ステップ２１４）。メール送信制御部１５は、メールサーバへの送信が完了すると、動画記録制御部１１にメール送信の完了を通知する。動画記録制御部１１は、上記メール送信完了の通知を受けた時点で、一の録画予約に係る一連の動作が終了する。
【００３６】
図４は、上記メール通知が有効、かつ、動画配信サーバ３へのアップロードが有効と設定されている場合に、メール送信制御部１５から、予約時に登録されたメールアドレス１０１に宛てて送信される電子メールの一例を表した図である。図４に示されように、電子メールの本文欄に予約に基づき録画した内容を提示するとともに、前記動画データ受信のためのＵＲＬ１０２”http://www.abc.co.jp/user/001232/00001.mp4”を選択して起動可能に示されている。
【００３７】
携帯電話端末８１（８２）は、動画記録装置１から、図４に例示した動画予約記録完了通知の電子メールを受信し、ユーザに提示する。ユーザがメール本文に示される動画データのＵＲＬにアクセスすることで、携帯電話端末８１（８２）は、動画データを動画配信サーバ３からダウンロードし、動画データ再生機能を使用して、動画データを再生する。
【００３８】
以上のとおりユーザは、外出先で録画予約の完了と同時に動画データのＵＲＬを知ることができ、外出先で、その所持する端末に適するフォーマットの動画データを受信し視聴することができる。
【００３９】
以上本発明の好適な実施の形態を説明したが、動画記録装置１自体が固有のドメインネームを有する動画配信サーバとして機能する構成としてもよい。その場合、動画記録装置１は、動画データをアップロードする必要はなく（即ち動画データアップロード制御部を省略することができる）、また、動画データ記憶部１７に格納した位置を、動画データのＵＲＬとして携帯電話端末８１（８２）に電子メールで送信する。
【００４０】
また、既存の動画配信サーバを用いる構成、動画記録装置１自体が動画配信サーバとして機能する構成いずれの場合とも、ストリーミング形式で動画配信を行うことが可能である。
【００４１】
また、上記した実施の形態では、録画予約時に再生可能フォーマットを登録しておくものとして説明したが、動画記録装置１側で、受信端末側の再生可能フォーマットを自動判定する構成を採ることもできる。例えば、メールアドレスと再生可能なフォーマットを関連付けた判定テーブルを動画記録装置１側に保持させておくことで実現される。この構成によれば、ユーザ毎の固有の端末に適したフォーマットにて配信することが可能となる。また、一のユーザが複数のメールアドレスを登録可能として、複数の端末の能力や通信環境に応じて使い分けることも可能となる。
【００４２】
また、動画記録装置１側で、受信端末側の再生可能フォーマットを自動判定する別の例としては、登録されたメールアドレスのドメイン部分に基づいて受信端末側の再生可能フォーマットを推定する構成を採用することが可能である。例えば、ドメイン部分が携帯電話端末であることを示す場合には、携帯電話端末向けのフォーマットに変換してからアップロードし、ドメイン部分がその他の端末であることを示す場合には、パーソナルコンピュータ向けのフォーマットに変換してからアップロードすることができる。
【００４３】
また上記した説明では、メール通知が有効、かつ、動画配信サーバ３へのアップロードが無効と設定されている場合（ステップ２０５のＹｅｓでステップ２０７のＮｏ）、動画記録装置１は、予約が完了したことを通知する所定のフォーマットの電子メールを生成して、送信するものとして説明したが、その際に図５に示すような電子メールを送信することもできる。図５の電子メールには電子メール本文欄の”アップロード要請”ボタン１０３が配設され、”アップロード要請”ボタン１０３は、起動することで動画記録装置１側にアップロードを要請する指令が送信されるよう動作が設定されている。動画記録装置１の動画記録制御部１１は、上記指令を受けた場合に、図３のステップ２０９以降の動作を実行し、アップロードが完了した時点で改めて電子メールを送信する。このようにすることで、予約時にアップロード不要と設定したものについても、外出先で視聴することができるようになる。
【００４４】
また、”アップロード要請”ボタン１０３を用いずとも、予約が完了したことを通知する所定のフォーマットの電子メールに対してメールの返信操作（例えば、本文が空である返信メールや、受信メールを引用した返信メールを送信する）を行うことにより、動画記録装置１の動画記録制御部１１が、図３のステップ２０９以降の動作を実行し、アップロードが完了した時点で改めて電子メールを送信するようにしてもよい。
【図面の簡単な説明】
【００４５】
【図１】本発明の第１の実施の形態に係る動画配信システムの全体構成を表した図である。
【図２】本発明の第１の実施の形態に係る動画記録装置１の詳細構成を表したブロック図である。
【図３】本発明の第１の実施の形態に係る動画記録装置１の動作を説明するためのフローチャートである。
【図４】本発明の第１の実施の形態に係る動画記録装置１から送信される電子メールの一例である。
【図５】本発明の第１の実施の形態に係る動画記録装置１から送信される電子メールの別の一例である。
【符号の説明】
【００４６】
１  動画記録装置
２  インターネット
３  動画配信サーバ
４  メールサーバ
５  アクセスサーバ
６  公衆回線網
７  携帯電話基地局
８１、８２  携帯電話端末
１１  動画記録制御部
１２  動画データ生成部
１３  動画データフォーマット変換部
１４  動画データアップロード制御部
１５  メール送信制御部
１６  動画予約記録情報記憶部
１７  動画データ記憶部
１８  インターネット接続インタフェース
１０１  メールアドレス
１０２  ＵＲＬ（Ｕｎｉｆｏｒｍ  Ｒｅｓｏｕｒｃｅ  Ｌｏｃａｔｏｒ）
１０３  ”アップロード要請”ボタン
【図１】
2006191483.tif 000003
【図２】
2006191483.tif 000004
【図３】
2006191483.tif 000005
【図４】
2006191483.tif 000006
【図５】
2006191483.tif 000007